(57)【要約】【課題】画面表示の際にパネル部から発生する輻射電磁界を、簡易に且つ能動的に打ち消すことができ、また、画面表示の際に装置から漏洩する漏洩電磁界を、最小にすることができるプラズマ表示装置を提供すること。【解決手段】本発明のプラズマ表示装置１０は、放電性ガスが封入された複数の表示セル１５を有するパネル部１１と、パネル部１１に互いに平行に配設された複数の電極１２、１３と、パネル部１１に隣接して配置されたコイル２０とを備える。複数の表示セル１５は、複数の電極１２、１３に放電電圧を印加することにより発光する。この時、コイル２０には、複数の電極１２、１３を流れる放電電流と逆向きの反対電流が流れ、その放電電流により発生する輻射磁界が、反対電流により生成される磁界により打ち消される。【選択図】      図３
2005156889.tif 000002
【特許請求の範囲】
【請求項１】
放電性ガスが封入された複数の表示セルを有するパネル部と、
前記パネル部に互いに平行に配設された複数の電極と、
前記パネル部に隣接して配置されたコイルと
を具備し、
前記複数の表示セルは、前記複数の電極に放電電圧を印加することにより発光し、
前記コイルは、前記複数の電極を流れる放電電流により発生する磁界を打ち消す反対電流が流れるように形成された
プラズマ表示装置。
【請求項２】
請求項１において、
前記複数の電極のそれぞれは、第一方向に沿って延設され、
前記パネル部が配置される面上で前記第一方向と直角な方向は、第二方向であり、
前記コイルは、前記第二方向に直角な面に配置される
プラズマ表示装置。
【請求項３】
請求項２において、
前記コイルは、前記パネル部の前記第二方向に位置する側部に隣接して配置される
プラズマ表示装置。
【請求項４】
請求項２において、
前記コイルは、前記パネル部の背面中央に隣接して配置される
プラズマ表示装置。
【請求項５】
請求項２乃至４のいずれかにおいて、
前記第一方向は、水平方向であり、
前記第二方向は、鉛直方向である
プラズマ表示装置。
【請求項６】
請求項１乃至５のいずれかにおいて、
前記複数の電極に流れる前記放電電流の電流量を検出する電流検出素子と、
前記電流検出素子と前記コイルとの間に介在する駆動回路と
を更に具備し、
前記駆動回路は、前記電流量に対応する電流量信号を前記電流検出素子から受け取り、前記電流量信号に基づいて前記反対電流を前記コイルに出力する
プラズマ表示装置。
【請求項７】
請求項６において、
前記電流検出素子は、ホール素子である
プラズマ表示装置。
【請求項８】
請求項６において、
前記電流検出素子は、電流検出コイルである
プラズマ表示装置。
【請求項９】
請求項６乃至８のいずれかにおいて、
前記駆動回路は、
前記電流検出素子と接続されるバッファ回路と、
前記バッファ回路及び前記コイルと接続されるトランジスタと
を具備し、
前記バッファ回路は、前記電流検出素子から前記電流量信号を受け取り、前記電流量信号に対応する電流駆動信号を前記トランジスタに出力し、
前記トランジスタは、前記電流駆動信号に基づいて、前記反対電流を前記コイルに出力する
プラズマ表示装置。
【請求項１０】
請求項１乃至５のいずれかにおいて、
前記複数の電極に前記放電電流を流す電極ドライバを更に具備し、
前記複数の電極の少なくとも１つと前記電極ドライバの間に前記コイルが介在する
プラズマ表示装置。
【請求項１１】
請求項１乃至５のいずれかにおいて、
前記複数の電極に前記放電電流を流す電極ドライバと、
前記コイルに接続された電流演算回路と
を更に具備し、
前記複数の電極は、
複数の第一電極と、
複数の第二電極を含み、
前記電極ドライバは、
前記複数の第一電極に接続された第一電極ドライバと、
前記複数の第二電極に接続された第二電極ドライバを含み、
前記電流演算回路は、前記第一電極ドライバ及び前記第二電極ドライバの出力に基づき、前記放電電流に対応する電流波形を演算により算出し、算出された前記電流波形に基づき、前記反対電流を前記コイルに出力する
プラズマ表示装置。
【請求項１２】
請求項１１において、
前記電流演算回路は、
前記電極ドライバに接続された減算回路と、
前記減算回路に接続された微分回路と、
前記微分回路及び前記コイルに接続された電圧−電流変換回路と
を具備し、
前記減算回路は、前記第一電極ドライバからの出力電圧と前記第二電極ドライバからの出力電圧の差分を計算し、前記差分に対応した電圧差分信号を前記微分回路に出力し、
前記微分回路は、前記電圧差分信号に対して微分演算を実行し、前記微分演算により得られ前記放電電流に対応した等価電流信号を前記電圧−電流変換回路に出力し、
前記電圧−電流変換回路は、前記等価電流信号に基づき、前記反対電流を前記コイルに出力する
プラズマ表示装置。
【請求項１３】
請求項１乃至１２のいずれかにおいて、
前記パネル部から漏洩する漏洩磁界の強さを検出する漏洩磁界検出部と、
前記漏洩磁界検出部に接続され、前記反対電流を制御する電流制御部と
を更に具備し、
前記漏洩磁界検出部は、前記漏洩磁界の強さに対応する漏洩磁界信号を前記電流制御部に出力し、
前記電流制御部は、前記漏洩磁界信号に基づき、前記漏洩磁界が最小になるように前記反対電流をフィードバック制御する
プラズマ表示装置。
【請求項１４】
請求項１３において、
前記漏洩磁界検出部は、
前記漏洩磁界を検出するセンサコイルと、
前記センサコイルに接続され、前記センサコイルを流れる誘導電流に基づき前記漏洩磁界の強さを検出し、前記漏洩磁界信号を前記電流制御部に出力する磁気センサと
を備える
プラズマ表示装置。
【請求項１５】
請求項１４において、
前記センサコイルは、前記コイルと平行に配置される
プラズマ表示装置。
【請求項１６】
請求項１４又は１５において、
前記コイルは、前記パネル部の背面中央に隣接して配置され、
前記センサコイルは、前記パネル部の端部に隣接して配置される
プラズマ表示装置。
【請求項１７】
請求項１３乃至１６のいずれかにおいて、
前記電流制御部は、
前記漏洩磁界検出部に接続されたマイクロコンピュータと、
前記マイクロコンピュータに接続され、前記反対電流の振幅及び位相を制御する振幅位相制御部と
を備え、
前記マイクロコンピュータは、前記漏洩磁界信号に基づき、前記漏洩磁界が最小になるように、前記振幅位相制御部を介して前記反対電流の振幅及び位相をフィードバック制御する
プラズマ表示装置。
【請求項１８】
請求項１乃至１７のいずれかにおいて、
複数の書き込み電極を更に備え、
前記複数の書き込み電極の各々は、前記複数の電極に交差するように前記パネル部に配設され、
前記複数の表示セルは、前記複数の電極と前記複数の書き込み電極が交差する領域にそれぞれ形成される
プラズマ表示装置。
【発明の詳細な説明】
【技術分野】
【０００１】
本発明は、プラズマ表示装置に関し、特に表示パネル部から発生する輻射電磁界を打ち消す機構を備えたプラズマ表示装置に関する。
【背景技術】
【０００２】
プラズマテレビなどのプラズマ表示装置は、プラズマディスプレイパネル（ＰＤＰ；Ｐｌａｓｍａ  Ｄｉｓｐｌａｙ  Ｐａｎｅｌ）を備える。
【０００３】
図１は、一般的なＰＤＰの構造を示す概略図である。ＰＤＰ１００は、前面構造板１０１と背面構造板１０２を備える。前面構造板１０１は、前面ガラス基板１０３と、前面ガラス基板１０３の背面側に接合する誘電体層１０４と、誘電体層１０４の背面側に接合する表面保護層１０５とから形成されている。前面ガラス基板１０３と誘電体層１０４との間には、走査電極１０６と共通電極１０７が配置されている。走査電極１０６と共通電極１０７は、互いに平行に配置されている。誘電体層１０４は、走査電極１０６と共通電極１０７を被覆している。
【０００４】
背面構造板１０２は、背面ガラス基板１０８と、背面ガラス基板１０８の正面側に接合する誘電体層１０９と、誘電体層１０９の正面側に接合する複数条の隔壁１１１とから形成されている。隔壁１１１は、表示セルを区画している。背面ガラス基板１０８と誘電体層１０９との間には、書き込み電極１１２が配置されている。書き込み電極１１２は、走査電極１０６と共通電極１０７に交差するように配置されている。誘電体層１０９は、書き込み電極１１２を被覆している。隔壁１１１の側面と誘電体層１０９の正面側表面には、紫外線を可視光に変換する蛍光体層１１３が形成されている。
【０００５】
前面構造板１０１と背面構造板１０２は対向するように固着され、ＰＤＰ１００が組み立てられる。ここで、隔壁１１１によりＰＤＰ１００内に形成される隙間の幅は１００μｍ程度である。また、その隙間が密閉空間になるように、ＰＤＰ１００の側面は封着材料で封止される。その密閉空間には、ヘリウム、ネオン、キセノン、又は、これらを含む混合ガスが封入される。
【０００６】
図２は、図１に示されたＰＤＰ１００における電極の配置を示す概略図である。図２に示されるように、互いに平行な複数の走査電極１０６、及び互いに平行な複数の共通電極１０７が、ＰＤＰ１００のパネル部１１４に配置されている。ここで、複数の走査電極１０６と複数の共通電極１０７も、互いに平行になるように配置される。また、複数の書き込み電極１１２が、複数の走査電極１０６及び複数の共通電極１０７に交差するように、パネル部１１４に配置されている。複数の書き込み電極１１２のそれぞれと、複数の走査電極１０６及び複数の共通電極１０７が交差する位置に、複数の表示セル１１５が形成される。つまり、一本の書き込み電極１１２が、走査電極１０６と共通電極１０７の１つのペアと交差する領域に、１つの表示セル１１５が形成される。
【０００７】
図２に示されるように、複数の走査電極１０６、複数の共通電極１０７、複数の書き込み電極１１２は、それぞれ走査電極ドライバ１１６、共通電極ドライバ１１７、書き込み電極ドライバ１１８に接続される。各々の電極には、対応するドライバから電力が供給される。このようなＰＤＰ１００において、発光させたい表示セル１１５に対応する走査電極１０６と書き込み電極１１２に電圧を印加することによって、その表示セル１１５内で放電が発生し、壁電荷が形成される（書き込み放電）。次に、その表示セル１１５に対応する走査電極１０６と共通電極１０７に交流電圧を印加することによって、その表示セル１１５内で継続的に放電が発生し、励起された放電ガスから紫外線が放射される（維持放電）。この放射された紫外線により蛍光体１１３が発光する。すなわち表示セル１１５が発光する。
【０００８】
この維持放電の際、走査電極ドライバ１１６から、複数の走査電極１０６及び複数の共通電極１０７を経由し、共通電極ドライバ１１７へ電流が流れ込む。あるいは、共通電極ドライバ１１７から、複数の共通電極１０７及び複数の走査電極１０６を経由し、走査電極ドライバ１１６へ電流が流れ込む。走査電極ドライバ１１６及び共通電極ドライバ１１７は、実際にはパネル部１１４の背面に配置されるため、これらの電流はループ状に流れる。この電流ループは、ＰＤＰ１００の駆動時に不要な電磁界（以下、輻射電磁界あるいは輻射磁界と参照される）が発生する原因となる。この輻射電磁界により、装置外部へ漏洩する電磁界（以下、漏洩電磁界あるいは漏洩磁界と参照される）は、ＰＤＰ１００の駆動時におけるノイズ発生の主要因となる。例えば、比較的低い周波数の漏洩磁界により、ＡＭラジオにノイズが混入するという問題が発生する。
【０００９】
従来の技術によれば、低周波の漏洩磁界を減少させるために、電磁界のシールド効果を持つ金属遮蔽物や磁路を形成する構造物を筐体内部に組み込むことによりという方法が適用されていた。あるいは、高周波の漏洩磁界を減少させるため、コアを用いることによって、ループ電流の波形がなるべく高調波成分を含まない波形になるように波形成形が行われた。しかしながら、コアや金属遮蔽物は高価であったり、また、遮蔽効果を十分に得るための構造は複雑であったりした。また、３〜７倍高調波（１ＭＨｚ前後；基本波は２５０ＫＨｚ程度）のような比較的低い周波数を持つ磁界成分をシールドすることは困難であり、根本的な解決方法が必要とされている。
【００１０】
特許文献１に開示された技術によれば、走査電極及び共通電極のそれぞれは偶数番目の電極群と奇数番目の電極群に分類される。従って、特許文献１におけるＰＤＰは、偶数番目の走査電極群、奇数番目の走査電極群、偶数番目の共通電極群、奇数番目の共通電極群のそれぞれに電圧を印加する４つのドライバを備える。維持放電期間において、偶数番目の電極群に流れる電流の向きが、奇数番目の電極群に流れる電流の向きと逆になるように、ドライバにより電極にパルスが供給される。これにより、パネル表面から発生する放射界が打ち消され、ノイズが軽減される。ＰＤＰから発生する不要な輻射電磁界を、低コストで且つ簡易に減少させることができる技術が望まれている。
【００１１】
【特許文献１】特開平１０−３２８０号公報
【発明の開示】
【発明が解決しようとする課題】
【００１２】
本発明の目的は、画面表示の際にパネル部から発生する輻射電磁界を、能動的に打ち消すことができるプラズマ表示装置を提供することである。
【００１３】
本発明の他の目的は、画面表示の際に装置から外部へ漏洩する漏洩電磁界を最小にすることができるプラズマ表示装置を提供することである。
【００１４】
本発明の更に他の目的は、画面表示の際にパネル部から発生する輻射電磁界を、簡易に且つ低コストで打ち消すことができるプラズマ表示装置を提供することである。
【課題を解決するための手段】
【００１５】
以下に、［発明を実施するための最良の形態］で使用される番号・符号を用いて、［課題を解決するための手段］を説明する。これらの番号・符号は、［特許請求の範囲］の記載と［発明を実施するための最良の形態］との対応関係を明らかにするために括弧付きで付加されたものである。ただし、それらの番号・符号を、［特許請求の範囲］に記載されている発明の技術的範囲の解釈に用いてはならない。
【００１６】
本発明のプラズマ表示装置（１０）は、放電性ガスが封入された複数の表示セル（１５）を有するパネル部（１１）と、パネル部（１１）に互いに平行に配設された複数の電極（１２、１３）と、パネル部（１１）に隣接して配置されたコイル（２０）とを備える。複数の表示セル（１５）は、複数の電極（１２、１３）に放電電圧を印加することにより発光する。この時、コイル（２０）には、複数の電極（１２、１３）を流れる放電電流と逆向きの反対電流が流れ、その放電電流により発生する輻射磁界が、反対電流により生成される磁界により打ち消される。
【００１７】
本発明のプラズマ表示装置（１０）において、複数の電極（１２、１３）のそれぞれは、第一方向（Ｙ）に沿って平行に延設される。パネル部（１１）が配置される面（ＹＺ）上で第一方向（Ｙ）と直角な方向を第二方向（Ｚ）とした時、コイル（２０）は、第二方向（Ｚ）に直角な面（ＸＹ）に配置される。コイル（２０）は、パネル部（１１）の第二方向（Ｚ）に位置する側部に隣接して配置されてもよい。コイル（２０）は、パネル部（１１）の背面中央に隣接して配置されてもよい。第一方向（Ｙ）が水平方向であり、第二方向（Ｚ）が鉛直方向であってもよい。この時、複数の電極（１２、１３）のそれぞれは、水平に配設され、コイル（２０）も水平に配置される。
【００１８】
本発明のプラズマ表示装置（１０）は、複数の電極（１２、１３）に流れる放電電流の電流量を検出する電流検出素子（３１）と、電流検出素子（３１）とコイル（２０）との間に介在する駆動回路（３２）とを更に備える。駆動回路（３２）は、放電電流の電流量に対応する電流量信号を電流検出素子（３１）から受け取る。そして、駆動回路（３２）は、その電流量信号に基づいて反対電流をコイル（２０）に出力する。ここで、電流検出素子（３１）は、ホール素子であってもよい。また、電流検出素子（３１）は、電流検出コイルであってもよい。駆動回路（３２）は、電流検出素子（３１）と接続されるバッファ回路（３５）と、バッファ回路（３５）及びコイル（２０）と接続されるトランジスタ（３６）とを備える。バッファ回路（３５）は、電流検出素子（３１）から電流量信号を受け取り、電流量信号に対応する電流駆動信号をトランジスタ（３６）に出力する。トランジスタ（３６）は、その電流駆動信号に基づいて、反対電流をコイル（２０）に出力する。
【００１９】
本発明のプラズマ表示装置（１０）は、複数の電極（１２、１３）に放電電流を流す電極ドライバ（１６、１７）を更に備える。複数の電極（１２、１３）の少なくとも１つと電極ドライバ（１６、１７）の間に、コイル（２０）が介在してもよい。この時、複数の電極（１２、１３）を流れる放電電流は、反対電流としてコイル（２０）に直接流れ込む。
【００２０】
本発明のプラズマ表示装置（１０）は、複数の電極（１２、１３）に放電電流を流す電極ドライバ（１６、１７）と、コイル（２０）に接続された電流演算回路（４０）とを更に備える。複数の電極（１２、１３）は、複数の第一電極（１２）と、複数の第二電極（１３）を含む。電極ドライバ（１６、１７）は、複数の第一電極（１２）に接続された第一電極ドライバ（１６）と、複数の第二電極（１３）に接続された第二電極ドライバ（１７）を含む。電流演算回路（４０）は、第一電極ドライバ（１６）及び第二電極ドライバ（１７）の出力に基づき、放電電流に対応する電流波形を演算により算出する。また、電流演算回路（４０）は、算出された電流波形に基づき、反対電流をコイル（２０）に出力する。
【００２１】
本発明のプラズマ表示装置（１０）において、電流演算回路（４０）は、電極ドライバ（１６、１７）に接続された減算回路（４４）と、減算回路（４４）に接続された微分回路（４５）と、微分回路（４５）及びコイル（２０）に接続された電圧−電流変換回路（４６）とを備える。減算回路（４４）は、第一電極ドライバ（１６）からの出力電圧と第二電極ドライバ（１７）からの出力電圧の差分を計算し、その差分に対応した電圧差分信号を微分回路（４５）に出力する。微分回路（４５）は、その電圧差分信号に対して微分演算を実行し、その微分演算により得られ、また放電電流に対応した等価電流信号を、電圧−電流変換回路（４６）に出力する。電圧−電流変換回路（４６）は、その等価電流信号に基づき、反対電流（２０）をコイルに出力する。
【００２２】
本発明のプラズマ表示装置（１０）は、漏洩磁界検出部（５１）と、漏洩磁界検出部（５１）に接続された電流制御部（５２）を更に備える。漏洩磁界検出部（５１）は、パネル部（１１）から漏洩する漏洩磁界（ＢＬ）の強さを検出し、その漏洩磁界（ＢＬ）の強さに対応する漏洩磁界信号を電流制御部（５２）に出力する。電流制御部（５２）は、その漏洩磁界信号に基づき、漏洩磁界（ＢＬ）が最小になるように反対電流をフィードバック制御する。
【００２３】
本発明のプラズマ表示装置（１０）において、漏洩磁界検出部（５１）は、漏洩磁界（ＢＬ）を検出するセンサコイル（５３）と、センサコイル（５３）に接続された磁気センサ（５４）を備える。磁気センサ（５４）は、センサコイル（５３）を流れる誘導電流に基づいて漏洩磁界（ＢＬ）の強さを検出し、漏洩磁界信号を電流制御部（５２）に出力する。ここで、センサコイル（５３）は、コイル（２０）と平行に配置される。また、コイル（２０）は、パネル部（１１）の背面中央に隣接して配置され、センサコイル（５３）は、パネル部（１１）の端部に隣接して配置されてもよい。
【００２４】
本発明のプラズマ表示装置（１０）において、電流制御部（５２）は、マイクロコンピュータ（５５）と振幅位相制御部（５６）を備える。マイクロコンピュータ（５５）は、漏洩磁界検出部（５１）に接続され、漏洩磁界信号を受け取る。振幅位相制御部（５６）は、マイクロコンピュータ（５５）に接続され、反対電流の振幅及び位相を制御する。マイクロコンピュータ（５５）は、漏洩磁界信号に基づき、漏洩磁界（ＢＬ）が最小になるように、振幅位相制御部（５６）を介して反対電流の振幅及び位相をフィードバック制御する。
【００２５】
本発明のプラズマ表示装置（１０）は、複数の書き込み電極（１４）を更に備える。複数の書き込み電極（１４）の各々は、複数の電極（１２、１３）に交差するようにパネル部（１１）に配設される。複数の表示セル（１５）は、複数の電極（１２、１３）と複数の書き込み電極（１４）が交差する領域にそれぞれ形成される。
【発明の効果】
【００２６】
本発明のプラズマ表示装置によれば、画面表示の際にパネル部から発生する輻射電磁界を、能動的に打ち消すことができる。
【００２７】
本発明のプラズマ表示装置によれば、画面表示の際に装置から外部へ漏洩する漏洩電磁界を、フィードバック制御を用いて最小にすることができる。
【００２８】
本発明のプラズマ表示装置によれば、画面表示の際にパネル部から発生する輻射電磁界を、簡易に且つ低コストで打ち消すことができる。
【発明を実施するための最良の形態】
【００２９】
添付図面を参照して、本発明によるプラズマ表示装置を説明する。
【００３０】
図３は、本発明に係るプラズマ表示装置の構成を示すブロック図である。図３に示されるように、プラズマ表示装置１０は、表示を行う画素構造を有するパネル部１１と、パネル部１１内に配設された複数の走査電極１２及び複数の共通電極１３を備える。複数の走査電極１２は、図３中のＹ方向に沿って互いに平行に配置される。同様に、複数の共通電極１３も、Ｙ方向に沿って互いに平行に配置される。すなわち、複数の走査電極１２及び複数の共通電極１３は、それぞれ平行に配設される。また、プラズマ表示装置１０は、図３中のＺ方向に沿って互いに平行に配設された複数の書き込み電極１４を備える。つまり、複数の書き込み電極１４のそれぞれは、走査電極１２及び共通電極１３に直角に配置される。
【００３１】
複数の書き込み電極１４のそれぞれと、複数の走査電極１２及び複数の共通電極１３が交差する位置に、複数の表示セル１５が形成される。つまり、複数の表示セル１５の各々において、一本の書き込み電極１４が、一本の走査電極１２と一本の共通電極１３と交差する。また、パネル部１１は、２枚の貼り合わせたガラス基板により形成され、その内部は隔壁（リブ）によって複数の密閉空間に仕切られている。１つの密閉空間は、１つの表示セル１５（あるいは書き込み電極１４に沿った表示セル群）に対応する。この密閉空間の内部には、ヘリウム、ネオン、キセノンなどの放電性ガス、又は、これらを含む混合ガスが封入される。更に、密閉空間には、紫外線を可視光に変換する蛍光体層が形成されている（図１参照）。
【００３２】
また、複数の走査電極１２、複数の共通電極１３、複数の書き込み電極１４は、それぞれ走査電極ドライバ１６、共通電極ドライバ１７、書き込み電極ドライバ１８に接続される。各々の電極には、対応するドライバから電力が供給される。ここで、図３に示されるように、複数の走査電極１２は、走査電極ドライバ１６により一本ずつ走査され得る。一方、複数の共通電極１３は、共通電電極ドライバ１７から共通の回路を介して電力が供給される。このようなプラズマ表示装置１０において、発光させたい表示セル１５に対応する走査電極１２と書き込み電極１４に電圧を印加することによって、その表示セル１５内で放電が発生し、壁電荷が形成される（書き込み放電）。次に、壁電荷が生成された表示セル１５に対応する走査電極１２と共通電極１３に交流電圧を印加することによって、その表示セル１５内で継続的に放電が発生し、励起された放電性ガスから紫外線が放射される（維持放電）。この放射された紫外線により蛍光体が発光する。すなわち発光させたい表示セル１５が選択的に発光する。
【００３３】
図３に示されるように、本発明に係るプラズマ表示装置１０は、コイル２０と、電流駆動部２１を更に備える。後述されるように、電流駆動部２１は、走査電極１２及び共通電極１３を流れる電流と反対極性の電流を、コイル２０に流すための機構である。このコイル２０の作用・効果を、図４を参照して以下に説明する。
【００３４】
図４は、本発明に係るプラズマ表示装置１０のコイル２０による作用・効果を説明する概略図である。ここで、書き込み電極１４及び書き込み電極ドライバ１８の描写は省略されている。また、パネル部１１は、図中のＹＺ平面に配置されているとする。また、図中のＸ方向は、パネル部１１の表面（画像・映像が表示される面）を指す方向とする。図４に示されるように、複数の走査電極１２及び複数の共通電極１３のそれぞれは、Ｙ方向（第一方向）に沿って延設されている。また、走査電極ドライバ１６及び共通電極ドライバ１７は、実際にはパネル部１１の背面（−Ｘ方向側）に折り返されて配置される。
【００３５】
維持放電（画面表示）の際、走査電極ドライバ１６は、走査電極１２に電圧パルスを印加し、共通電極ドライバ１７は、走査電極ドライバ１６によるものと逆位相の電圧パルスを共通電極１３に印加する。この時、走査電極ドライバ１６から、走査電極１２及び共通電極１３を経由し、共通電極ドライバ１７へ放電電流が流れ込む。あるいは、共通電極ドライバ１７から、共通電極１３及び走査電極１２を経由し、走査電極ドライバ１６へ放電電流が流れ込む。つまり、走査電極１２及び共通電極１３を流れる放電電流は、ループ状の電流と等価と見なされる。この時、図４中のＺ方向（第二方向）に沿って、放電電流に起因する磁界（以下、輻射磁界と参照される）が発生する。ここで、磁界変動は、プラズマ装置１０を駆動する交流電流（放電電流）と同様に一般的には正弦波ではない。よって、変動磁界の基本波成分および高調波成分が輻射磁界として放射される。
【００３６】
本発明において、コイル２０は、輻射磁界が発生する方向（Ｚ方向）に直角な面（ＸＹ面）に配置される。そして、上記のループ状の放電電流に起因する輻射磁界（輻射電磁界）を打ち消すように、コイル２０には電流駆動部２１によって電流（以下、反対電流と参照される）が流される。これにより、輻射磁界が簡易に打ち消される。例えば、画面表示のある瞬間に、放電電流によって図４に示されるような＋Ｚ方向の磁界（磁束）Ｂ１が発生したとする。この時、コイル２０には電流駆動部２１によって反対電流が流され、図４に示されるような−Ｚ方向の磁界（磁束）Ｂ２が発生する。コイル２０に反対電流を流す機構は、後の実施例において記述される。このように、本発明によれば、金属遮蔽物などで輻射磁界B１を遮蔽（シールド）し漏洩磁界を減少させるのではなく、コイル２０による磁界B２によって輻射磁界B１が能動的に打ち消される。また、金属遮蔽物などの高価な部材を用いることなく、安価に輻射磁界を打ち消すことが可能となる。
【００３７】
図５は、本発明に係るプラズマ装置１０において、コイル２０が配置される場所を説明する概略図である。図５は、図４を＋Ｙ方向から見た図に対応する。コイル２０は、輻射磁界が発生する方向（Ｚ方向）に直角な面（ＸＹ面）に、パネル部１１に隣接して配置される。例えば、コイル２０は、図５中のＡあるいはＢで示されるように、パネル部１１のＺ方向に位置する側部の中央周辺に配置されてもよい。あるいは、コイル２０は、図５中のＣで示されるように、パネル部１１の背面（−Ｘ方向側）の中央に隣接して配置されてもよい。また、複数のコイル２０が、図５中のＡ、Ｂ、Ｃで示されるような複数の位置に配置されてもよい。ＸＹ面が水平面を示し、Ｚ方向が鉛直方向を指す場合、図５中のＡ及びＢで示される場所は、それぞれパネル部１１の上部及び下部に対応する。尚、コイル２０は、プラズマ表示装置１０の所定の部材により支持される。また、コイル２０の大きさは、パネル部１１の大きさと同等から１／３程度の大きさであると好ましい。
【００３８】
（第一実施例）
図６は、本発明の第一実施例に係るプラズマ装置１０の構成を示すブロック図である。図６において、パネル部１１、電極（１２、１３、１４）、ドライバ（１６、１７、１８）の構成は、図３に示された構成と同様であり、その説明は省略される。第一実施例に係るプラズマ表示装置１０は、コイル２０、電流検出素子３１、及び駆動回路３２とを備える。つまり、図３で示された電流駆動部２１は、電流検出素子３１及び駆動回路３２を含む。コイル２０は、図５で説明されたように配置される。電流検出素子３１は、維持放電期間に走査電極１２あるいは共通電極１３を流れる放電電流を検出する。また、電流検出素子３１は、検出された電流量を電気信号（以下、電流量信号と参照される）に変換し、その電流量信号を駆動回路３２に出力する。駆動回路３２は、電流検出素子３１とコイル２０の間に介在する。駆動回路３２は、電流量信号を増幅し、その電流量信号に基づいて反対電流をコイル２０に出力する。
【００３９】
図７は、本実施例における電流駆動部２１（電流検出素子３１及び駆動回路３２）の一構成例を示す詳細図である。電流検出素子３１が放電電流を検出する対象は、走査電極１２と共通電極１３のどちらでもよい。電流検出素子３１として、ホール素子や電流検出コイルが例示される。ホール素子の場合、そのホール素子は、電極（走査電極１２あるいは共通電極１３）に近接して配置され、放電電流により発生する磁界をホール効果を利用して検出する。ホール効果により発生したホール電圧は、放電電流に対応し、電流量信号として駆動回路３２に出力される。電流検出コイルの場合、その電流検出コイルは、電極を囲むように配置され、誘導された起電力に基づいて電流量信号を駆動回路３２に出力する。
【００４０】
図７に示されるように、駆動回路３２は、例えばローパスフィルタ３４、オペアンプ３５、電流駆動用の出力トランジスタ３６、電流検出抵抗３７を備える。ローパスフィルタ３４は、電流検出素子３１に接続され、電流量信号からノイズ成分を除去する。オペアンプ３５は、バッファ回路として動作し、電流検出素子３１からローパスフィルタ３４を介して電流量信号を受け取り、その電流量信号に対応する電流駆動信号を出力トランジスタ３６に出力する。出力トランジスタ３６は、その電力駆動信号を増幅し、また、その電力駆動信号に基づいて、反対電流をコイル２０に流す。電流検出抵抗３７の一端は接地され、他端はコイル２０に接続される。図７に示されるように、コイル２０と電流検出抵抗３７との間の電圧は、オペアンプ（バッファ回路）３５の−入力端子にフィードバックされる。これにより、回路の安定性と周波数特性が向上する。
【００４１】
このように、第一実施例のプラズマ表示装置１０によれば、電流検出素子３１及び簡易な駆動回路３２により、コイル２０に反対電流が流される。従って、パネル部１１から発生する輻射磁界を、簡易に低コストで打ち消すことが可能となる。
【００４２】
（第二実施例）
図８は、本発明の第ニ実施例に係るプラズマ装置１０の構成を示すブロック図である。第ニ実施例に係るプラズマ表示装置１０において、コイル２０は、複数の走査電極１２あるいは複数の共通電極１３の少なくとも１つと直接、直列に接続される。例えば、図８に示されるように、複数の共通電極１３と共通電極ドライバ１７とを接続される回路が開放され、開放された回路の端部がコイル２０の両端と接続される。つまり、共通電極１３と共通電極ドライバ１７の間にコイル２０が介在する。これにより、走査電極ドライバ１６から共通電極ドライバ１７へ、あるいは共通電極ドライバ１７から走査電極ドライバ１６へ流れる放電電流は、直接取り出され、反対電流としてコイル２０を流れる。ここでコイル２０を流れる反対電流の方向がループ状の放電電流の方向と逆向きになるように、コイル２０は巻かれ、また図５に示されたように配置される。また、コイル２０の断面積や形状は、ループ状の放電電流と電磁気学的に合同形に保たれる。
【００４３】
このように、第ニ実施例のプラズマ表示装置１０によれば、放電電流が流れる電極から直接、直列に反対電流がコイル２０に流れ込む。従って、パネル部１１から発生する輻射磁界を、簡易に低コストで打ち消すことが可能となる。
【００４４】
（第三実施例）
図９は、本発明の第ニ実施例に係るプラズマ装置１０の構成を示すブロック図である。図９において、パネル部１１、電極（１２、１３、１４）、ドライバ（１６、１７、１８）の構成は、図３に示された構成と同様であり、その説明は省略される。第三実施例に係るプラズマ表示装置１０は、コイル２０と電流演算回路４０とを備える。つまり、図３で示された電流駆動部２１は、電流演算回路４０を含む。コイル２０は、図５で説明されたように配置される。電流演算回路４０は、走査電極ドライバ１６及び共通電極ドライバ１７の出力に基づいて、電極を流れる放電電流の波形を演算により算出する。また、電流演算回路４０は、算出された電流波形に基づいて、反対電流をコイル２０に出力する。
【００４５】
図１０は、本実施例における電流演算回路４０の一構成例を示す詳細図である。電流演算回路４０は、走査タイミング発生回路４１、切り換え回路４２、重み付け回路４３、減算回路４４、微分回路４５、電圧−電流変換回路４６、及び電流アンプ４７を備える。
【００４６】
走査電極ドライバ１６は、複数の走査電極１２の本数分の出力ラインを有する。書き込み放電時には、走査電極ドライバ１６は、走査電極１２を一本ずつ走査し、電圧パルスを印加する。一方、維持放電時には、走査電極ドライバ１６は、全ての走査電極１２を同時に走査し、電圧パルスを印加する。走査タイミング発生回路４１は、走査を切り換えるタイミングに同期したタイミング信号を生成し、切り換え回路４２は、そのタイミング信号に基づいて走査を切り換える。よって、書き込み放電期間の電圧パルスを検出することも、維持放電期間の電圧パルスを検出することも可能である。共通電極ドライバ１７は、複数の共通電極１３に対して共通に電圧パルスを印加する。
【００４７】
重み付け回路４３には、走査電極ドライバ１６からの出力が入力される。上述の通り、全ての走査電極１２に同じ電圧が印加される場合と、一本の走査電極１２に選択的に電圧が印加される場合がある。従って、重み付け回路４３は、駆動される走査電極１２の本数に基づいて、電圧パルスに対して重み付けを行う。
【００４８】
上記のように操作された走査電極ドライバ１６からの出力と、共通電極ドライバ１７からの出力は、減算回路４４に入力される。減算回路４４において、両者の減算が実行され、走査電極１２に印加される電圧と共通電極１３に印加される電圧の差分に対応した信号（以下、電圧差分信号と参照される）が得られる。この電圧差分信号は、微分回路４５に出力される。微分回路４５は、電圧差分信号に対して微分演算を実行する。これにより、一対の走査電極１２と共通電極１３に流れる電流に対応した信号（以下、等価電流信号と参照される）が得られる。この等価電流信号は、電圧−電流変換回路４６に出力される。電圧−電流変換回路４６は、入力された等価電流信号を電流に変換し、電流アンプ４７に出力する。電流アンプ４７は、出力された電流を増幅し、反対電流としてコイル２０へ出力する。
【００４９】
このように、第三実施例のプラズマ表示装置１０によれば、電流演算回路４０により、パネル部１１から発生する輻射磁界を打ち消すことが可能となる。また、このプラズマ表示装置１０は、放電電流の流れる電極の負荷インピーダンスに影響を与えることなく電流演算回路４０が装着される点で優れている。
【００５０】
（第四実施例）
図１１は、本発明の第四実施例に係るプラズマ装置１０の構成を示すブロック図である。図１１において、パネル部１１、電極（１２、１３、１４）、ドライバ（１６、１７、１８）の構成は、図３に示された構成と同様であり、その説明は省略される。第四実施例に係るプラズマ表示装置１０は、図３で示されたコイル２０と電流駆動部２１に加え、漏洩磁界検出部５１及び電流制御部５２を更に備える。つまり、本実施例に係る構成は、上述の第一〜第三実施例に対して付加的に適用することが可能である。コイル２０は、図５で説明されたように配置される。電流駆動部２１は、図７に示されたような電流検出型の回路を有していてもよいし、図１０に示されたような電流波形演算型の回路を有していても良い。
【００５１】
本実施の形態において、漏洩磁界検出部５１は、パネル部１１から漏洩する漏洩磁界（漏洩電磁界）の強さを検出し、その漏洩磁界の強さに対応する電気信号（以下、漏洩磁界信号と参照される）を電流制御部５２に出力する。電流制御部５２は、漏洩磁界検出部５１に接続される。この電流制御部５２は、漏洩磁界信号に基づき、漏洩磁界の強度が最小になるように反対電流をフィードバック制御する。
【００５２】
図１２は、第四実施例に係るプラズマ表示装置１０の一構成例を詳細に示すブロック図である。図１２は、図１１を＋Ｙ方向から見た図に対応する。図１２において、漏洩磁界検出部５１は、センサコイル５３と磁気センサ５４を備える。センサコイル５３は、パネル部１１から漏洩する漏洩磁界ＢＬを検出する。つまり、センサコイル５３は、コイル２０を流れる放電電流によって打ち消されなかった磁界を、漏洩磁界ＢＬとして検出する。センサコイル５３は、コイル２０に平行に配置されるのが好適であるが、機器の形状によっては、それ以外に漏洩磁界ＢＬが効率的に検出される位置に配置されても良い。これにより、センサコイル５３は、漏洩磁界ＢＬを効率よく検出することができる。また、センサコイル５３は、コイル２０からある程度離して設置されるのが好適である。例えば、図１２に示されるように、コイル２０は、パネル部１１の背面（−Ｘ方向側）中央に隣接して配置され、センサコイル５３は、パネル部１１の端部に隣接して配置される。これにより、輻射磁界を打ち消すためのコイル２０と、漏洩磁界を検出するためのセンサコイル５３が独立して動作することが可能となる。
【００５３】
磁気センサ５４は、センサコイル５３に接続され、センサコイル５３を流れる誘導電流に基づき漏洩磁界の強さを検出する。また、磁気センサ５４は、漏洩磁界の強さに対応する漏洩磁界信号を電流制御部５２に出力する。電流制御部５２は、マイクロコンピュータ５５と振幅位相制御部５６を備える。マイクロコンピュータ５５は、漏洩磁界検出部５１に接続され、漏洩磁界信号を受け取る。マイクロコンピュータ５５に接続された振幅位相制御部５６は、マイクロコンピュータ５５からの指示に従い、電流駆動部２１を介して反対電流の振幅及び位相を制御する。振幅位相制御部５６からの出力は、例えば電流駆動部２１中の電流アンプ（図１０を参照）に入力される。
【００５４】
マイクロコンピュータ５５は、漏洩磁界信号に基づき、漏洩磁界ＢＬの強度が最小になるように振幅位相制御部５６を指示し、コイル２０を流れる反対電流の振幅及び位相をフィードバック制御する。例えば、マイクロコンピュータ５５は、反対電流の位相を０度から３６０度まで移相させるように振幅位相制御部５６に指示を出し、漏洩磁界ＢＬの強度が最小になる位相を探る。位相を粗調整した後、マイクロコンピュータ５５は、反対電流の振幅を変化させるように振幅位相制御部５６に指示を出し、漏洩磁界ＢＬの強度が最小になる振幅を探る。このようなプログラムを繰り返し実行することにより、マイクロコンピュータ５５は、反対電流の振幅及び位相の最適値を確定する。このようなアルゴリズムに沿って、反対電流はフィードバック制御される。また、最適値の経時変化や温度変化などに対応するため、上記のプログラムは、所定の間隔をおいて周期的に実行されてもよい。また、位相や振幅だけでなく、高調波成分を制御することによって、波形成形を行なうことも可能である。
【００５５】
このように、第四実施例のプラズマ表示装置１０によれば、電流駆動部２１により、コイル２０に反対電流が流される。これにより、パネル部１１から発生する輻射磁界を、簡易に打ち消すことが可能となる。更に、マイクロコンピュータ５５により反対電流がフィードバック制御されるので、プラズマ表示装置１０から発生する漏洩磁界を最小にすることができる。
【００５６】
以上に説明されたように、本発明のプラズマ表示装置１０によれば、画面表示の際にパネル部１１から発生する輻射磁界を、能動的に打ち消すことができる。また、パネル部１１から発生する漏洩磁界がをフィードバック制御を用いて最小にすることができる。また、輻射磁界を簡易に且つ低コストで打ち消すことができる。金属遮蔽物構造、コアの追加などにより行なっていた対策を、本発明との併用により、従来より安価な部品や簡単な遮蔽構造物を用いることによって行うこともできる。
【図面の簡単な説明】
【００５７】
【図１】図１は、一般的なプラズマディスプレイパネルの構造を示す概略図である。
【図２】図２は、従来のプラズマディスプレイパネルの構成を示す概略図である。
【図３】図３は、本発明に係るプラズマ表示装置の構成を示すブロック図である。
【図４】図４は、本発明に係るプラズマ表示装置の効果を示す概略図である。
【図５】図５は、本発明に係るプラズマ表示装置におけるコイルの配置を示す概略図である。
【図６】図６は、本発明の第一実施例に係るプラズマ表示装置の構成を示すブロック図である。
【図７】図７は、本発明の第一実施例に係る電流駆動部の構成を示す詳細図である。
【図８】図８は、本発明の第ニ実施例に係るプラズマ表示装置の構成を示すブロック図である。
【図９】図９は、本発明の第三実施例に係るプラズマ表示装置の構成を示すブロック図である。
【図１０】図１０は、本発明の第三実施例に係る電流駆動部の構成を示す詳細図である。
【図１１】図１１は、本発明の第四実施例に係るプラズマ表示装置の構成を示すブロック図である。
【図１２】図１２は、本発明の第四実施例に係るプラズマ表示装置の構成を示す詳細図である。
【符号の説明】
【００５８】
１０    プラズマ表示装置
１１    パネル部
１２    走査電極
１３    共通電極
１４    書き込み電極
１５    表示セル
１６    走査電極ドライバ
１７    共通電極ドライバ
１８    書き込み電極ドライバ
２０    コイル
２１    電流駆動部
３１    電流検出素子
３２    駆動回路
４０    電流演算回路
５１    漏洩磁界検出部
５２    電流制御部
【図１】
2005156889.tif 000003
【図２】
2005156889.tif 000004
【図３】
2005156889.tif 000005
【図４】
2005156889.tif 000006
【図５】
2005156889.tif 000007
【図６】
2005156889.tif 000008
【図７】
2005156889.tif 000009
【図８】
2005156889.tif 000010
【図９】
2005156889.tif 000011
【図１０】
2005156889.tif 000012
【図１１】
2005156889.tif 000013
【図１２】
2005156889.tif 000014